(57)【特許請求の範囲】
【請求項１】
第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信する通信手段とを備え、前記通信手段は、前記取得した位置情報に関連する第二の画像を受信し、前記画像格納手段は、当該第二の画像を受信したときに、前記第一の画像を格納した格納場所に、当該第二の画像を格納することを特徴とする携帯端末。
【請求項２】
請求項１に記載の携帯端末であって、前記取得した第一の画像に撮影場所の位置情報が記録されているときは、前記画像格納手段は、前記格納場所の名称として、当該第一の画像に記録された撮影場所の位置情報を設定することを特徴とする携帯端末。
【請求項３】
請求項１又は請求項２に記載の携帯端末であって、前記第二の画像に含まれる情報に基づいて、前記格納場所の名称を変更することを特徴とする携帯端末。
【請求項４】
請求項１乃至請求項３のうち何れか一項に記載の携帯端末であって、前記取得した第一の画像の色を分析する色分析手段を備え、前記取得した第一の画像の色が特定の色に支配されていると判断されたときに、前記取得した第一の画像を前記格納場所に格納することを特徴とする携帯端末。
【請求項５】
コンピュータを、第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信し、前記取得した位置情報に関連する第二の画像を受信する通信手段と、として機能させ、前記第二の画像を受信したときには、前記画像格納手段として機能させて、前記第一の画像を格納した格納場所に、当該第二の画像を格納させるプログラム。
【請求項６】
携帯端末と、前記携帯端末と通信可能に接続される作業管理装置と、を備えた作業情報管理システムであって、
前記携帯端末は、第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信する通信手段とを備え、
前記作業管理装置は、前記携帯端末から受信した前記第一の画像と前記位置情報とを保存する情報保存手段と、前記取得した位置情報に関連する第二の画像を前記位置情報と対応づけて前記携帯端末に送信する手段、とを備え、
前記携帯端末は、前記位置情報に関連した前記第二の画像を受信したときに、当該第二の画像を前記格納場所に格納することを特徴とする作業情報管理システム。
【請求項７】
請求項６に記載の作業情報管理システムであって、
さらに、前記携帯端末または前記作業管理装置が、前記取得した第一の画像の色を分析する色分析手段を備え、前記取得した第一の画像の色が特定の色に支配されていると判断されたときに、前記取得した第一の画像を所定の作業合図とみなすことを特徴とする作業情報管理システム。
【発明の詳細な説明】
【技術分野】
【０００１】
本発明は、無線基地局等の作業現場と遠隔地にある事務所との間における作業情報の送受信を行う携帯端末、プログラム及び作業情報管理システムに関する。
【背景技術】
【０００２】
無線基地局の建設工事や保守作業が行われる作業現場では、遠隔地にある事務所に対して電子メール等を用いて作業記録や作業現場の写真等の作業情報の送信が行われている。また、事務所では、作業現場から送信されてきた作業情報を受信し保存するとともに、作業現場に対して作業指示書の送信が行われている。
【０００３】
作業現場において作業員が使用する情報端末としては、携帯電話やノートＰＣのほかタブレット型の端末がある。これらの情報端末は毎年のように機能が高度化しているが、反面、操作が複雑になって取り扱いが難しいといった一面がある。作業現場と事務所との間における作業情報のやりとりを簡易に行える仕組みが求められている。
【０００４】
作業現場における作業情報の管理を行う先行技術として、作業工程ごとに作業項目を選択しその状態で撮影した写真を収集して作業情報として管理する技術が知られている（特許文献１）。この特許文献１の技術は、作業情報管理サーバからのアシストを受けながら作業現場の情報を収集するものであるが、情報端末の画面を都度操作して作業工程と作業項目を選択しなければならない。
【先行技術文献】
【特許文献】
【０００５】
【特許文献１】特開２０１３−３７６８４号公報
【発明の概要】
【発明が解決しようとする課題】
【０００６】
作業現場と遠隔地の事務所との間で作業情報を簡易にやりとりできる携帯端末と、その携帯端末を用いて簡便に作業情報を管理するシステムとを提供することを課題とする。
【課題を解決するための手段】
【０００７】
本発明の携帯端末は、第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信する通信手段とを備え、前記通信手段は、前記取得した位置情報に関連する第二の画像を受信し、前記画像格納手段は、当該第二の画像を受信したときに、前記第一の画像を格納した格納場所に、当該第二の画像を格納することを特徴とする。
【０００８】
また、本発明の携帯端末は、前記取得した第一の画像に撮影場所の位置情報が記録されているときは、前記画像格納手段は、前記格納場所の名称として、当該第一の画像に記録された撮影場所の位置情報を設定することを特徴とする。
【０００９】
また、本発明の携帯端末は、前記第二の画像に含まれる情報に基づいて、前記格納場所の名称を変更することを特徴とする。
【００１０】
また、本発明の携帯端末は、前記取得した第一の画像の色を分析する色分析手段を備え、前記取得した第一の画像の色が特定の色に支配されていると判断されたときに、前記取得した第一の画像を前記格納場所に格納することを特徴とする。
【００１１】
本発明のプログラムは、コンピュータを、第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信し、前記取得した位置情報に関連する第二の画像を受信する通信手段と、として機能させ、前記第二の画像を受信したときには、前記画像格納手段として機能させて、前記第一の画像を格納した格納場所に、当該第二の画像を格納させることを特徴とする。
【００１２】
本発明の作業情報管理システムは、携帯端末と、前記携帯端末と通信可能に接続される作業管理装置と、を備えた作業情報管理システムであって、前記携帯端末は、第一の画像を取得する画像取得手段と、自身の位置情報を取得する位置取得手段と、前記取得した位置情報を名称として画像の格納場所を設定し、当該格納場所に前記取得した第一の画像を格納する画像格納手段と、前記取得した第一の画像と前記取得した位置情報とを対応づけて送信する通信手段とを備え、前記作業管理装置は、前記携帯端末から受信した前記第一の画像と前記位置情報とを保存する情報保存手段と、前記取得した位置情報に関連する第二の画像を前記位置情報と対応づけて前記携帯端末に送信する手段、とを備え、前記携帯端末は、前記位置情報に関連した前記第二の画像を受信したときに、当該第二の画像を前記格納場所に格納することを特徴とする。
【００１３】
また、本発明の作業情報管理システムは、前記携帯端末または前記作業管理装置が、前記取得した第一の画像の色を分析する色分析手段を備え、前記取得した第一の画像の色が特定の色に支配されていると判断されたときに、前記取得した第一の画像を所定の作業合図とみなすことを特徴とする。
【発明の効果】
【００１４】
本発明の携帯端末、プログラム及び作業情報管理システムは、作業情報が作業現場の位置情報に対応づけられて携帯端末に自動的に保存されるため、作業情報の保存先を都度指定しなくてもよい。また、携帯端末の簡単な操作で、作業現場の作業情報を遠隔地の事務所に送信することを可能とする。
【図面の簡単な説明】
【００１５】
【図１】本発明の実施の形態に係る作業情報管理システムの概念構成図である。
【図２】本発明の実施の形態に係る作業情報管理システムにおいて作業現場から事務所作業に対して作業情報を送信する構成図である。
【図３】本発明の実施の形態に係る作業情報管理システムにおいて事務所から作業現場に対して作業情報を送信する構成図である。
【図４】本発明の実施の形態に係る作業情報管理システムにおいて作業現場から事務所作業に対して写真を送信する手順である。
【図５】本発明の実施の形態に係る作業情報管理システムにおいて事務所から作業現場に対して作業指示書を送信する手順である。
【図６】本発明の実施の形態に係る作業情報管理システムにおける緯度経度フォルダの一例である。
【図７】本発明の実施の形態に係る作業情報管理システムにおける作業開始時の写真の一例である。
【図８】本発明の実施の形態に係る作業情報管理システムにおける作業指示書の一例である。
【発明を実施するための形態】
【００１６】
まず、図１を参照して本発明の概念構成を説明する。本発明の実施の形態に係る作業情報管理システム１０は、作業現場と、作業現場から遠隔地にある事務所との間における種々の作業情報の送受信と管理を行うシステムである。ここで作業情報としては、作業現場から事務所に対する連絡や、事務所から作業現場に対する作業指示等がある。本発明の実施の形態においては、カメラ１で撮影された作業現場の写真２２を含む各種の作業情報は、携帯端末３を用いて事務所の作業管理装置４にメールに添付されて作業管理装置４に送信される。一方、作業現場に対する作業指示書４２は、作業管理装置４からメールに添付されて携帯端末３に送信される。作業指示書４２はカメラ１のモニタに表示することとしてもよい。
【００１７】
次に、図２を参照して作業現場から事務所に対する作業情報の送信に係る詳細構成について説明する。
【００１８】
カメラ１には、撮影した写真２２を保存する記録媒体としてＳＤカード２が接続される。カメラ１とＳＤカード２は、そのいずれか一方又は両方に無線ＬＡＮ機能を備えている。以下では、ＳＤカード２に無線ＬＡＮ機能を備えている構成を例にとって説明する。
【００１９】
ＳＤカード２は、カメラ１から写真２２の保存指示があると、当該写真２２を予め形成したフォルダに格納する。またこのＳＤカード２は、無線ＬＡＮ機能を備えている携帯端末３との間で無線ＬＡＮ通信により接続されると、写真２２が保存されているフォルダを共有フォルダ２１として設定する。これにより、写真２２が保存されているフォルダが携帯端末３との間で共有される。そして携帯端末３は、この共有フォルダ２１内の写真２２を取り込むことが可能になる。なお、ここでは通信によりＳＤカード２内の写真２２を取り込む例としたが、携帯端末３がＳＤカードスロットを備えている場合には、ＳＤカード２をカメラ１から取り外し、携帯端末３のＳＤカードスロットに挿入し、携帯端末３が当該電気的に接続されたＳＤカード２にアクセスして、当該ＳＤカード２内の写真２２を携帯端末３に取り込むこととしてもよい。また通信により読み取る場合も、無線ＬＡＮに限らず、Zigbee（登録商標）、Bluetooth（登録商標）、Z-WAVE等の無線通信を用いて写真２２を携帯端末３に取り込むようにしてもよい。
【００２０】
携帯端末３は、制御ユニット３０と、記憶ユニット３１と、ＧＰＳユニット３２と、通信ユニット３３とを備えている。また携帯端末３にはディスプレイ等が備えられており、携帯端末３は情報処理に係る汎用機能を備えている。また記憶ユニット３１にはＯＳ（Operating System）や各種のソフトウェアがインストールされている。本実施の形態では、インストールされたソフトウェアの一つに作業用アプリが含まれる。
【００２１】
制御ユニット３０（ＣＰＵ等のプログラム制御デバイスであり、記憶ユニット３１に格納されるプログラムに従って動作する）は、作業用アプリを実行することで、前述の情報処理に係る汎用機能と連携して、ＳＤカード２内の共有フォルダ２１の共有化、写真２２の取り込み、ＧＰＳユニット３２を用いた現在位置の測位、緯度経度フォルダ３１０の作成、通信ユニット３３を用いたメール３４の送信処理等、一連の制御を行う。作業用アプリは携帯端末３に予めプリインストールされていてもよいし、通信ユニット３３を介して作業管理装置４等からダウンロードされてもよい。
【００２２】
ＧＰＳユニット３２は複数のＧＰＳ衛星からの信号を受信して自身の現在位置を測位する。ＧＰＳユニット３２は携帯端末３に着脱可能であってもよく、携帯端末３に装着されたものであってもよい。ここでは着脱可能なＧＰＳユニット３２が測位機能を備えているものとしたが、携帯端末３自身がＧＰＳユニット３２を内蔵し、測位の動作を行ってもよい。
【００２３】
携帯端末３の通信ユニット３３は、携帯電話回線や衛星電話回線或いは無線ＬＡＮを用いて事務所の作業管理装置４に対してメール３４を送信する。通信ユニット３３は携帯端末３に着脱可能に装着される。携帯端末３は自身の内部に通信ユニット３３の通信機能を備えてもよい。
【００２４】
携帯端末３の記憶ユニット３１には、既に述べたように、制御ユニット３０により緯度経度フォルダ３１０が作成される。本実施の形態では、携帯端末３の制御ユニット３０は、ＳＤカード２内の写真２２が保存されたフォルダを共有フォルダ２１として設定する。そして制御ユニット３０は、ＧＰＳユニット３２によって測位される携帯端末３の現在位置の情報を用いて、当該写真２２を保存する領域としての緯度経度フォルダ３１０を記憶ユニット３１内に作成する。つまり、緯度経度フォルダ３１０は、携帯端末３の現在位置に対応して作成されるフォルダ（写真２２の保存場所）であり、ＧＰＳユニット３２が測位した緯度経度情報をそのままフォルダの名称として設定したフォルダである。そして携帯端末３の制御ユニット３０は、ＳＤカード２内の共有フォルダ２１に保存されている写真２２を複製して、記憶ユニット３１内に形成した緯度経度フォルダ３１０に保存する。また制御ユニット３０は、緯度経度フォルダ３１０に保存された写真２２をメール３４に添付して事務所の作業管理装置４に送信する処理を行う。
【００２５】
作業管理装置４は、無線基地局等の作業現場に係る作業情報を一元的に管理している。作業管理装置４はＣＰＵのほか、メモリ、ＯＳ、ハードディスク、ディスプレイ等の情報処理に係る汎用機能を備えている。作業管理装置４のハードディスクには作業情報データベースが作成されている。作業情報データベースには作業現場ごとにレコードが作成され、レコードごとに、対応する作業現場の位置情報（住所地や緯度経度情報）と、その作業現場の施工状況に係る情報（施工情報）と、その作業現場に対する作業指示書（第二の画像に相当する）等とが関連付けて記録されている。またこの作業管理装置４には各種ソフトウェアがインストールされており、その一つに作業管理用ソフトウェアが含まれる。作業管理装置４のＣＰＵは、この作業管理用ソフトウェアに従って動作し、メール３４を受信して、当該受信したメール３４に添付されている写真２２を作業情報データベースに保存する。
【００２６】
次に、図３を参照して事務所から作業現場に対する作業情報の送信に係る詳細構成について説明する。
【００２７】
作業管理装置４の作業情報データベースには、作業現場に対する作業指示書４２等の作業情報が事務所側担当者により作成されて格納されている。作業管理装置４のＣＰＵは、作業管理用ソフトウェアに従って、作業情報データベースに格納されている作業指示書４２を読み出して、メール４１に添付して携帯端末３宛に送信する。
【００２８】
携帯端末３は、通信ユニット３３を介して作業管理装置４から送信されたメール４１を受信する。携帯端末３の制御ユニット３０は、メール４１に添付されている作業指示書４２を緯度経度フォルダ３１０に保存する。携帯端末３は、緯度経度フォルダ３１０に保存した作業指示書４２を複製し、複製した作業指示書４２をＳＤカード２の共有フォルダ２１に転送する。これにより、カメラ１において、当該共有フォルダ２１に転送された作業指示書４２を、カメラ１のモニタに表示することが可能となる。
【実施例１】
【００２９】
次に、実施例１として、携帯電話基地局に関する作業を行う際に、本実施の形態のシステムを用いる例について述べる。まず携帯端末３と作業管理装置４との間における作業情報の送受信と管理に係る詳細手順を説明する。ここでは作業情報の一例として、作業現場で撮影された写真２２と、作業管理装置４の作業情報データベースに格納されている作業指示書４２を互いに送信する場合について説明する。
【００３０】
まず、図４を参照して、携帯端末３から作業管理装置４に写真２２を送信する詳細手順を説明する。作業員は作業開始にあたり、カメラ１を用いて現場の写真２２を撮影する。撮影された写真２２はＳＤカード２内のフォルダに保存される。次に作業員は携帯端末３の画面に予め表示されている所定のアイコンにタッチして作業用アプリを起動させる（Ｓ５０１）。
【００３１】
携帯端末３は、作業用アプリが起動されると、ディスプレイに写真２２の取り込みを促すメッセージを表示する。ここで携帯端末３は、ＳＤカード２と携帯端末３とのそれぞれの無線ＬＡＮ機能をＯＮにするべき旨のメッセージを表示してもよい。カメラ１と携帯端末３を近接させると、ＳＤカード２と携帯端末３が無線ＬＡＮで接続される。携帯端末３は、ＳＤカード２内の、写真２２が保存されているフォルダを、共有フォルダ２１として設定する。これにより共有フォルダ２１に保存されている写真２２を携帯端末３に取り込むことが可能な状態になる（Ｓ５０２）。
【００３２】
続いて携帯端末３は、ＧＰＳユニット３２が装着されているか否かを調べ、装着されている場合には、ＧＰＳユニット３２を起動して、ＧＰＳユニット３２に携帯端末３の現在位置の測位処理を行わせる。なお携帯端末３にＧＰＳユニット３２が装着されていない場合には、携帯端末３は、ディスプレイにＧＰＳユニット３２の装着を促すメッセージを表示してもよい。また、携帯端末３が本体に測位機能を備えている場合には、ＧＰＳユニット３２が装着されているか否かに関わらず、本体の測位機能により現在位置の測位処理を行ってもよい。ＧＰＳユニット３２（または携帯端末３本体）による測位処理が完了して、携帯端末３が自己の現在位置情報を取得すると、携帯端末３は、その現在位置情報を用いて緯度経度フォルダ３１０を作成する。具体的には、緯度経度フォルダ３１０は、測位処理によって取得された緯度経度情報「Ｎ３６・・・，Ｅ１３９・・・」を名称としたフォルダを作成する（Ｓ５０３）。
【００３３】
携帯端末３は、緯度経度フォルダ３１０を作成すると、Ｓ５０２で共有可能になった写真２２を共有フォルダ２１から読み出す。ここで読み出された写真２２（第一の画像に相当する）は、携帯端末３により複製されて緯度経度フォルダ３１０に保存される。緯度経度フォルダ３１０に写真２２が保存されるにあたり、写真２２を取り込んだときに一旦「新しいフォルダ」を作成して、その「新しいフォルダ」に写真２２を複製したあと、測位処理後に作成された緯度経度フォルダ３１０に写真２２を移動させてもよい。或いは、測位処理後に「新しいフォルダ」を緯度経度フォルダ３１０に設定することにして、フォルダの名称を緯度経度情報「Ｎ３６・・・，Ｅ１３９・・・」としてもよい（Ｓ５０４）。
【００３４】
ここで、緯度経度フォルダ３１０は、作業用アプリによって管理されるフォルダであり、作業用アプリ自身の記憶領域内に作成されてもよいし、その記憶領域外に作成されてもよい。
【００３５】
携帯端末３は、写真２２を緯度経度フォルダ３１０に保存すると、続いてメール機能を起動する。携帯端末３は、このメール機能を用いて作業管理装置４宛てのメール３４を作成する。ここで携帯端末３は、メール３４の宛先欄には作業管理装置４のメールアドレス（予め定められている）を設定し、件名欄或いは本文メッセージ欄には、現在位置情報として緯度経度情報「Ｎ３６・・・，Ｅ１３９・・・」を含める。ここで現在位置情報は緯度経度情報に限られず、緯度経度情報から変換して得た住所地の情報や、作業現場である基地局の名称（基地局名）であってもよい。緯度経度の情報から住所等の情報へ変換する方法は広く知られているので、ここでの詳しい説明を省略する。
また携帯端末３は、このメール３４に、通信中の基地局名や、作業開始時刻を含めてもよい。さらに携帯端末３は、作業員により入力された、作業者名等の作業情報をメール３４に含めてもよい。携帯端末３は、このメール３４の添付ファイルとして、緯度経度フォルダ３１０から読み出した写真２２を含める。携帯端末３は、この写真２２のファイル名として緯度経度情報「Ｎ３６・・・，Ｅ１３９・・・」等の現在位置情報を含めてもよい。図７に写真２２のファイル名の一例を示す。このようにファイル名に現在位置情報を含める場合には、件名欄或いは本文メッセージ欄に現在位置情報を含める必要は必ずしもない。携帯端末３は、こうして写真２２が添付され、携帯端末３の現在位置情報を含めたメール３４を作業管理装置４宛に送信する（Ｓ５０５）。
【００３６】
ここで、Ｓ５０１からＳ５０５の各動作手順において、携帯端末３は、動作手順ごとに、作業員に動作を行うか否かを確認させるポップアップメッセージをディスプレイに表示してもよい。
【００３７】
作業管理装置４は、携帯端末３から送信されたメール３４を受信する。作業管理装置４は、メール３４に含まれている現在位置情報を読み出し、読み出した緯度経度情報を、作業情報データベース内の情報と照合する。ここで作業管理装置４の作業情報データベースはファイルシステムを用い、作業現場となる基地局ごとにレコードとしてのフォルダを作成し、各フォルダ内に、対応する基地局の位置情報（住所地や緯度経度情報）のほか、当該基地局の施工情報や運用に係る情報、当該作業現場に対する作業指示書４２等を予め格納したものである。
作業管理装置４は、メール３４から読み出した現在位置情報と、作業情報データベース内の各フォルダに格納された位置情報とを照合し、メール３４から読み出した現在位置情報に一致する、あるいは一致しなくても最も近い位置情報を格納したフォルダを見出す。これにより作業現場の基地局が特定される。
【００３８】
作業現場の基地局が特定されると、作業管理装置４は、メール３４に添付されている写真２２を取り出して、作業情報データベースの当該基地局に対応して作成されたフォルダに保存する。写真２２はメール３４と一緒に保存されてもよいし、サブフォルダに写真２２だけを保存してもよい。これ以降、携帯端末３から作業管理装置４に送信されてきたメール３４と写真２２は作業情報として管理される（Ｓ５０６）。
【００３９】
次に、図５を参照して、作業管理装置４から携帯端末３に対して作業指示書４２を送信する詳細手順を説明する。
【００４０】
作業管理装置４において受信したメール３４から基地局を特定されると、作業情報データベース内の当該基地局のフォルダから作業指示書４２が読み出される。作業管理装置４は、メール機能を起動して、メール３４に対する返信メールとしてメール４１を作成し、作業指示書４２を添付して送信する。これにより作業情報データベースから読み出された作業指示書４２がメール４１に添付されて、携帯端末３に送信される（Ｓ６０１）。
【００４１】
ここで、メール４１の件名欄或いは本文メッセージ欄には、メール３４で通知された携帯端末３の現在位置情報が含められる。携帯端末３から通知された現在位置情報が緯度経度情報であれば「Ｎ３６・・・，Ｅ１３９・・・」といった文字列が含められる。通知された現在位置情報が緯度経度を住所地に変換した情報であれば、その住所地を表す文字列が含められる。基地局名が現在位置情報として通知された場合には、その基地局名が含められる。以下、このメール４１に含めた、メール３４から抽出した現在位置情報を、区別のため「通知位置情報」と呼ぶ。
【００４２】
携帯端末３は、メール４１を受信すると、受信したメール４１をディスプレイに表示する。またこのとき、携帯端末３は、作業用アプリの動作を行い、メール４１に含められている通知位置情報を読み出す。携帯端末３は、読み出した通知位置情報が、従前に送信したメール３４に含めた携帯端末３の現在位置情報と一致するか否か照合する。両者が一致した場合には、携帯端末３は、メール４１に添付されている作業指示書４２を緯度経度フォルダ３１０に保存する。両者が一致しない場合には、携帯端末３は、作業員に確認させるためのポップアップメッセージをディスプレイに表示し、作業員の確認が得られた場合に限り、作業指示書４２を緯度経度フォルダ３１０に保存するようにしてもよい（Ｓ６０２）。
【００４３】
また携帯端末３は、メール４１に基地局名が含まれる場合は、緯度経度フォルダ３１２０のフォルダ名称を当該基地局名に書き換えてもよい。具体的に、受信したメール４１に添付されている作業指示書４２のファイル名に基地局名が用いられている場合には、携帯端末３は、当該基地局名を読み出して、緯度経度フォルダ３１０の名称を当該基地局名に書き換えてもよい（Ｓ６０３）。図６に緯度経度フォルダ３１０の一例とフォルダ名称の変更例を示す。また。図８に作業指示書の一例を示す。
【００４４】
携帯端末３は、緯度経度フォルダ３１０に保存された作業指示書４２を、ディスプレイに表示する。これにより、当初予定されていた作業内容に追加や変更があった場合でも、作業指示書４２として追加・変更後の作業指示を送信することにより、作業現場で最新の作業内容を確認できる。携帯端末３は、受信したメール４１に添付されていた作業指示書４２を、共有フォルダ２１に複製して格納してもよい。共有フォルダ２１は、ＳＤカード２内の、写真２２が保存されているフォルダと同期されているため、この
複製された作業指示書４２はカメラ１からも読み取ることが可能となり、カメラ１のモニタに表示できるようになる。これにより、作業者は携帯端末３の持ち込みが困難であったとしても、カメラ１のモニタに表示された作業指示書４２を見ることによって作業内容を確認できるようになる（Ｓ６０４）。
【００４５】
ここで、Ｓ６０２からＳ６０４の動作手順において、携帯端末３は、動作手順ごとに、作業員に動作を行うか否かを確認させるポップアップメッセージを、ディスプレイに表示してもよい。
【実施例２】
【００４６】
次に実施例２として、写真２２を作業開始の合図として用いる例を説明する。これは、撮影された写真２２の内容が予め定めた条件を満足する場合に、その写真２２の受信を作業開始の合図として取り扱うものである。ここで予め定めた条件としては、写真２２の所定範囲以上の部分が特定の色で占められているとの条件などでよい。例えば、作業員が作業開始にあたり、カメラ１のレンズキャップを付けた状態でシャッターを押して写真２２を撮影すると、当該写真２２はほとんどの画素が黒色と判断される写真となる。
【００４７】
本実施例では、携帯端末３は、画像分析ソフトとしての処理を実行する。まず図４に例示したのと同様の処理を開始し、緯度経度フォルダ３１０に写真２２を保存すると、携帯端末３は、作業用アプリとして、画像分析ソフトを起動させる。携帯端末３は、画像分析ソフトの指示に従い、色分析処理を実行する。具体的には、携帯端末３は、写真２２の各画素のうち、色空間コードのＲＧＢの値が「０，０，０」である画素の数をカウントする。そして携帯端末３は、このカウントの結果が、写真２２の全画素に占める割合（または当該カウントされた値そのものでもよい）が予め定めたしきい値を超える場合に、当該写真２２は全体が黒色の写真であると判定する。なお、ＲＧＢの値が「０，０，０」に完全一致していなくとも、画素値が「０，０，０」から予め定めた所定の範囲内の値（色空間上のユークリッド距離が所定の値未満であるなどの条件を満足する値）である画素については、ＲＧＢの値が「０，０，０」である画素としてカウントしてもよい。携帯端末３は、写真２２が、その全体が黒色の写真であると判断すると、つまり、写真２２の色を分析して、全体が黒色に支配された画像であると判断すると、その写真２２を作業開始の合図として取り扱う。
【００４８】
写真２２の全体が黒色であると判断し、作業開始の合図として取り扱うことが決定されると、携帯端末３は、作業記録を作成する。ここで作業記録とは、現場で行った作業の記録であり、作業の行われた日時と、当該作業の内容を表す情報とを関連付けたものである。本実施例の携帯端末３では、全体が黒色であると判断した写真２２から撮影時刻の情報を抽出し、当該抽出した撮影時刻の情報を、作業開始時刻として作業記録に追記する。携帯端末３が、写真２２を添付し、携帯端末３の現在位置情報を含めたメール３４を作業管理装置４宛に送信する際に、当該メール３４の件名欄や本文メッセージ欄に、「作業開始」の文字列を含める。
【００４９】
作業管理装置４は、このメール３４を受信すると、そのディスプレイに携帯端末３の位置情報とともに「作業開始」の文字列を表示する。なお、携帯端末３に代わり、あるいは携帯端末３とは別に作業管理装置４が作業記録を作成する場合は、作業管理装置４が、メール３４に添付されている写真２２から、その撮影時刻の情報を抽出し、当該抽出した撮影時刻の情報を作業開始時刻として作業記録に追記する。なお、ここでは写真２２の撮影時刻を作業開始時刻とする例について述べたが、作業管理装置４が作業記録を作成する際には、写真２２の撮影時刻に代えて、メール３４の送信時刻或いは受信時刻を作業開始時刻としてもよい。
【００５０】
また携帯端末３の代わりに、作業管理装置４が画像分析ソフトとしての処理を実行するようにしてもよい。この場合は、作業管理装置４がメール３４に添付されている写真２２の色分析処理を行い、前述と同様の方法により、写真２２の全体が黒色であると判定されたときは、写真２２を作業開始の合図とみなして、作業開始の情報を作業記録に含める。
【００５１】
携帯端末３または作業管理装置４の行う色分析処理は、上述のように、ある色空間における画素値を分析するものに限られず、既知の種々の分析処理の方法を用いてもよい。また、色分析処理における画素値の分析の処理は、携帯端末３や作業管理装置４において実行するのではなく、ネットワークを介して通信可能に接続されたサーバにおいて行われてもよい。この場合、色分析処理を実行する携帯端末３や作業管理装置４は、写真２２を当該サーバに送信（通信はＨＴＴＰ等を用いて行うことができる）して、分析の結果を受信することで、写真２２が所定の条件を満足するか否かを判断する。
【００５２】
また本実施例では、携帯端末３は、写真２２に対する色分析処理の結果、全体が黒色であると判定された場合に、現在位置の測位の動作を開始するようにしてもよいし、緯度経度フォルダ３１０を作成して写真２２を保存するようにしてもよい。
【００５３】
以上、本発明の実施例１によれば、作業員が携帯端末３の作業用アプリを起動させると、撮影された作業現場の写真２２が携帯端末３の現在位置に対応したフォルダに保存され、現在位置情報とともに作業管理装置４に送信される。作業管理装置４では携帯端末３の現在位置情報から作業現場の基地局が特定され、写真２２がその基地局の作業情報として管理される。作業管理装置４から携帯端末３に作業指示書４２が送信されると、作業指示書４２が現在位置に対応したフォルダに保存される。作業指示書４２は複製されてカメラ１のモニタに表示される。作業員は携帯端末３の簡易な操作により、事務所との間で作業に関する情報を簡便にやりとりすることが可能になる。
【００５４】
また、実施例２によれば、作業員がカメラ１のレンズキャップを付けた状態でシャッターを押し、全体の大部分が黒色で占められている写真２２を撮影するという簡便な操作により、作業開始の合図を作業管理装置４側に伝達できる。その際に作成される作業記録には写真２２の撮影時刻が作業開始時刻として記載されるため、作業員と作業管理者は作業開始時刻の連絡と確認を簡略にすることができる。
【００５５】
なお、実施例２と実施例１とを組み合わせることで、作業開始の記録が作成されるときに、携帯端末３と作業管理装置４との間で写真２２が端末装置３の現在位置情報とともに授受されることにより、作業管理装置４において現場を特定でき、また当該特定した現場に関して予め用意された作業指示書４２を作業管理装置４から携帯端末３に作業指示書４２が送信させることが可能になる。この作業指示書４２は携帯端末３とカメラ１（のＳＤカード２）との間で共有された記憶領域内の、現在位置に対応したフォルダに保存される。従ってこの作業指示書４２はカメラ１のモニタに表示させることが可能になる。このように作業員はカメラ１を操作することで、事務所との間で作業に関する情報を簡便にやりとりすることが可能になる。
【符号の説明】
【００５６】
１・・・・・・カメラ
２・・・・・・ＳＤカード
２１・・共有フォルダ
２２・・・・写真
３・・・・・・携帯端末
３１・・・・記憶ユニット
３１０・・緯度経度フォルダ
３２・・・・ＧＰＳユニット
３３・・・・通信ユニット
４・・・・・・作業管理装置
４２・・作業指示書
１０・・作業管理システム
【図１】
0006382598.tif 000002
【図２】
0006382598.tif 000003
【図３】
0006382598.tif 000004
【図４】
0006382598.tif 000005
【図５】
0006382598.tif 000006
【図６】
0006382598.tif 000007
【図７】
0006382598.tif 000008
【図８】
0006382598.tif 000009